(57)【特許請求の範囲】
【請求項１】
安否確認の対象者に関する安否情報を提供する安否情報提供装置において、
緊急事態の発生を当該緊急事態が発生したエリア内にいる前記対象者の端末装置に知らせる警報情報に基づいてそれぞれ生成される、前記対象者の前記端末装置の位置情報および前記対象者による前記端末装置に対する入力情報の有無を判断する情報判断部と、
前記情報判断部での判断結果に応じた前記対象者の前記安否情報を作成する作成部と、
前記作成部により作成された前記安否情報を送信する安否情報送信部と、を備え、
前記安否情報送信部は、前記対象者の安否情報の問合せを照会元端末装置から受信したときに、前記情報判断部が前記位置情報と前記入力情報の有無の判断を開始してから未だ前記対象者の前記端末装置の前記位置情報が無い場合、位置情報の送信を求める前記要求情報を前記対象者の前記端末装置に送信し、
前記作成部は、前記要求情報に応じて前記対象者の前記端末装置から位置情報が返信されたことに基づいて緊急事態が発生したエリア外に前記対象者がいる旨の前記安否情報を作成し、
前記安否情報送信部は、前記位置情報が返信されたことに基づいて作成された、緊急事態が発生したエリア外に前記対象者がいる旨の前記安否情報を、前記照会元端末装置に送信する、
ることを特徴とする安否情報提供装置。
【請求項２】
請求項１に記載の安否情報提供装置において、
前記対象者の端末装置を識別する情報および連絡先の端末装置を識別する情報を対応付けて記憶する記憶部をさらに備え、
前記安否情報送信部は、前記対象者の前記安否情報を当該対象者に対応する前記連絡先の端末装置に送信する、
ことを特徴とする安否情報提供装置。
【請求項３】
請求項１または２に記載の安否情報提供装置において、
前記対象者の安否に関する問い合わせを照会元の端末装置から取得する取得部をさらに備え、
前記安否情報送信部は、当該対象者の前記安否情報を前記照会元の端末装置に送信する、
ことを特徴とする安否情報提供装置。
【請求項４】
請求項１ないし３のいずれかに記載の安否情報提供装置において、
前記作成部は、前記情報判断部により、前記位置情報および前記入力情報の両方が有ると判断されると、前記位置情報および前記入力情報を含む安否情報を作成し、前記位置情報が有るにも関わらず前記入力情報が無いと判断されると、前記入力情報がない旨のメッセージを含む安否情報を作成する、
ことを特徴とする安否情報提供装置。
【請求項５】
請求項４に記載の安否情報提供装置において、
前記作成部は、前記情報判断部により前記位置情報が無いと判断されると、前記位置情報が無いとの判断に基づくメッセージを含む安否情報を作成する、
ことを特徴とする安否情報提供装置。
【請求項６】
請求項４に記載の安否情報提供装置において、
前記作成部は、前記情報判断部により前記位置情報が無いにも関わらず前記入力情報が有ると判断されると、前記入力情報を含む安否情報を作成し、前記位置情報および前記入力情報の両方が無いと判断されると、前記位置情報および前記入力情報が無いとの判断に基づくメッセージを含む安否情報を作成する、
ことを特徴とする安否情報提供装置。
【請求項７】
安否確認の対象者に関する安否情報を提供する安否情報提供システムにおいて、
緊急事態の発生を知らせる警報情報を当該緊急事態が発生したエリア内において受信する前記対象者の端末装置と、
前記端末装置から送信される情報に基づいて前記対象者の安否情報を提供する情報提供サーバと、を備え、
前記端末装置は、
前記警報情報を受信すると、当該端末装置の位置情報を取得して前記情報提供サーバへ送信するとともに、
前記警報情報を受信すると、ユーザに所定の入力操作を促し、当該入力操作が行われると、当該入力操作に基づく入力情報を前記情報提供サーバへ送信し、
前記警報情報の受信の待ち受けを開始してから未だ前記警報情報に基づき前記位置情報を取得していない状態において、前記位置情報の送信を求める要求情報を受信すると、当該端末装置の位置情報を取得して前記情報提供サーバへ送信し、
前記情報提供サーバは、
前記端末装置からの前記位置情報および前記入力情報の有無を判断し、前記判断結果に応じた前記対象者の安否情報を送信するとともに、
前記対象者の安否情報の問合せを照会元端末装置から受信したときに前記対象者の前記端末装置の前記位置情報が無い場合、前記要求情報を前記対象者の前記端末装置に送信し、
前記要求情報に応じて前記対象者の前記端末装置から位置情報が返信されたことに基づいて緊急事態が発生したエリア外に前記対象者がいる旨の前記安否情報を作成して前記照会元端末装置に送信する、
ことを特徴とする安否情報提供システム。
【請求項８】
各種情報を送受信する端末装置において、
緊急事態の発生を知らせる警報情報を当該緊急事態が発生したエリア内において受信する受信部と、
前記警報情報が受信されると、当該端末装置の位置情報を取得する位置情報取得部と、
前記警報情報が受信されると、ユーザに所定の入力操作を促し、当該入力操作が行われると、当該入力操作に基づく入力情報を取得する入力情報取得部と、
前記位置情報および前記入力情報を、安否情報を提供する情報提供サーバに送信する端末情報送信部と、を備え、
前記位置情報取得部は、前記受信部が前記警報情報の受信の待ち受けを開始してから未だ前記警報情報に基づき前記位置情報を取得していない状態において、前記受信部が、安否確認の対象者の安否情報の問合せを照会元端末装置から受信したときに前記対象者の前記端末装置の前記位置情報が前記情報提供サーバに無い場合に前記情報提供サーバから送信される、前記位置情報の送信を求める要求情報を受信すると、当該端末装置の位置情報を取得し、
前記端末情報送信部は、前記要求情報に応じて取得した前記位置情報を、当該位置情報に基づいて前記情報提供サーバが緊急事態が発生したエリア外に前記対象者がいる旨の前記安否情報を作成して前記照会元端末装置に送信するために、前記情報提供サーバに送信する、
ことを特徴とする端末装置。
【請求項９】
請求項８に記載の端末装置において、
前記警報情報に含まれる重要度が所定の基準を満たすか否かを判断する警報判断部をさらに備え、
警報判断部により前記重要度が前記基準を満たすと判断されると、前記位置情報取得部および前記入力情報取得部は、それぞれ、前記警報情報に基づく前記位置情報の取得と入力情報の取得を行い、警報判断部により前記重要度が前記基準を満たさないと判断されると、前記位置情報取得部および前記入力情報取得部は、前記警報情報に基づく前記位置情報の取得と入力情報の取得を行わない、
ことを特徴とする端末装置。
【発明の詳細な説明】
【技術分野】
【０００１】
本発明は、緊急時に安否確認の対象者の安否情報を連絡先などに送信する安否情報提供装置および安否情報提供システム関する。また、安否情報システムに用いて好適な端末装置に関する。
【背景技術】
【０００２】
従来、緊急時に携帯端末装置の所有者、即ち、安否確認の対象者（以下、確認対象者と言う。）の安否情報を連絡先に送信する情報提供システムがある。かかる情報提供システムとして、たとえば、携帯端末が緊急放送を検知すると、自動的に位置情報を取得し、位置情報および所定のメッセージを含む緊急メールを所定の送信先へ自動的に送信するシステムがある（たとえば、特許文献１）。
【０００３】
また、別の情報提供システムとして、災害発生検出情報により安否を問い合わせるメールがサーバから携帯端末に送信され、これに対して確認対象者の返信操作により携帯端末が返信すると、サーバに安否情報として登録されるシステムがある（たとえば、特許文献２）。
【先行技術文献】
【特許文献】
【０００４】
【特許文献１】２００７−１８９４６１号公報
【特許文献２】２００３−１９８７５１号公報
【発明の概要】
【発明が解決しようとする課題】
【０００５】
しかし、前者の情報提供システムによれば、確認対象者が死亡または負傷などして、携帯端末を操作できない場合であっても、携帯端末が位置情報などを自動的に取得し緊急メールを送信するため、確認対象者の状況については知ることができない。
【０００６】
また、後者の情報提供システムによれば、確認対象者が返信しなければ、安否情報が登録されない。返信には手間がかかるので、特に緊急時の混乱したときには即座に返信することができない虞がある。しかも、確認対象者からの返信がなかった場合、これが、確認対象者の負傷などによるものか、緊急事態が発生したエリアの外に携帯端末があることによるものかを判断することができず、確認対象者の状況や携帯端末の状態を知ることができない。
【０００７】
本発明は、かかる課題を解消するために為されたものであり、確認対象者の状況を精度よく連絡先に提供し得る安否情報提供装置、安否情報提供システム、および端末装置を提供することを目的とする。
【課題を解決するための手段】
【０００８】
本発明の第１の態様は、安否確認の対象者に関する安否情報を提供する安否情報提供装置に関する。本態様に係る安否情報提供装置は、緊急事態の発生を当該緊急事態が発生したエリア内にいる前記対象者の端末装置に知らせる警報情報に基づいてそれぞれ生成される、前記対象者の前記端末装置の位置情報および前記対象者による前記端末装置に対する入力情報の有無を判断する情報判断部と、前記情報判断部での判断結果に応じた前記対象者の前記安否情報を作成する作成部と、前記作成部により作成された前記安否情報を送信する安否情報送信部と、を備える。前記安否情報送信部は、前記対象者の安否情報の問合せを照会元端末装置から受信したときに、前記情報判断部が前記位置情報と前記入力情報の有無の判断を開始してから未だ前記対象者の前記端末装置の前記位置情報が無い場合、位置情報の送信を求める前記要求情報を前記対象者の前記端末装置に送信する。また、前記作成部は、前記要求情報に応じて前記対象者の前記端末装置から位置情報が返信されたことに基づいて緊急事態が発生したエリア外に前記対象者がいる旨の前記安否情報を作成する。そして、前記安否情報送信部は、前記位置情報が返信されたことに基づいて作成された、緊急事態が発生したエリア外に前記対象者がいる旨の前記安否情報を、前記照会元端末装置に送信する。
【０００９】
本態様に係る安否情報提供装置において、前記対象者の端末装置を識別する情報および連絡先の端末装置を識別する情報を対応付けて記憶する記憶部をさらに備え得る。この場合、前記安否情報送信部は、前記対象者の前記安否情報を当該対象者に対応する前記連絡先の端末装置に送信する。
【００１０】
本態様に係る安否情報提供装置において、前記対象者の安否に関する問い合わせを照会元の端末装置から取得する取得部をさらに備え得る。この場合、前記安否情報送信部は、当該対象者の前記安否情報を前記照会元の端末装置に送信する。
【００１１】
本態様に係る安否情報提供装置において、前記作成部は、前記情報判断部により、前記位置情報および前記入力情報の両方が有ると判断されると、前記位置情報および前記入力情報を含む安否情報を作成し、前記位置情報が有るにも関わらず前記入力情報が無いと判断されると、前記入力情報がない旨のメッセージを含む安否情報を作成するよう構成され得る。
【００１２】
本態様に係る安否情報提供装置において、前記作成部は、前記情報判断部により前記位置情報が無いと判断されると、前記位置情報が無いとの判断に基づくメッセージを含む安否情報を作成するよう構成され得る。
【００１３】
本態様に係る安否情報提供装置において、前記作成部は、前記情報判断部により前記位置情報が無いにも関わらず前記入力情報が有ると判断されると、前記入力情報を含む安否情報を作成し、前記位置情報および前記入力情報の両方が無いと判断されると、前記位置情報および前記入力情報が無いとの判断に基づくメッセージを含む安否情報を作成するよう構成され得る。
【００１４】
本発明の第２の態様は、安否確認の対象者に関する安否情報を提供する安否情報提供システムに関する。本態様に係る安否情報確認システムは、緊急事態の発生を知らせる警報情報を当該緊急事態が発生したエリア内において受信する端末装置と、前記端末装置から送信される情報に基づいて安否情報を提供する情報提供サーバとを備える。ここで、前記端末装置は、前記警報情報を受信すると、当該端末装置の位置情報を取得して前記情報提供サーバへ送信する。さらに、前記端末装置は、前記警報情報を受信すると、ユーザに所定の入力操作を促し、当該入力操作が行われると、当該入力操作に基づく入力情報を前記情報提供サーバへ送信する。また、前記端末装置は、前記警報情報の受信の待ち受けを開始してから未だ前記警報情報に基づき前記位置情報を取得していない状態において、前記位置情報の送信を求める要求情報を受信すると、当該端末装置の位置情報を取得して前記情報提供サーバへ送信する。前記情報提供サーバは、前記端末装置からの前記位置情報および前記入力情報の有無を判断し、前記判断結果に応じた前記対象者の安否情報を送信する。さらに、前記情報提供サーバは、前記対象者の安否情報の問合せを照会元端末装置から受信したときに前記対象者の前記端末装置の前記位置情報が無い場合、前記要求情報を前記対象者の前記端末装置に送信し、前記要求情報に応じて前記対象者の前記端末装置から位置情報が返信されたことに基づいて緊急事態が発生したエリア外に前記対象者がいる旨の前記安否情報を作成して前記照会元端末装置に送信する。
【００１５】
本発明の第３の態様は、各種情報を送受信する端末装置に関する。本態様に係る端末装置は、緊急事態の発生を知らせる警報情報を当該緊急事態が発生したエリア内において受信する受信部と、前記警報情報が受信されると、当該端末装置の位置情報を取得する位置情報取得部と、前記警報情報が受信されると、ユーザに所定の入力操作を促し、当該入力操作が行われると、当該入力操作に基づく入力情報を取得する入力情報取得部と、前記位置情報および前記入力情報を、安否情報を提供する情報提供サーバに送信する端末情報送信部とを備える。また、前記位置情報取得部は、前記受信部が前記警報情報の受信の待ち受けを開始してから未だ前記警報情報に基づき前記位置情報を取得していない状態において、前記受信部が、安否確認の対象者の安否情報の問合せを照会元端末装置から受信したときに前記対象者の前記端末装置の前記位置情報が前記情報提供サーバに無い場合に前記情報提供サーバから送信される、前記位置情報の送信を求める要求情報を受信すると、当該端末装置の位置情報を取得する。前記端末情報送信部は、前記要求情報に応じて取得した前記位置情報を、当該位置情報に基づいて前記情報提供サーバが緊急事態が発生したエリア外に前記対象者がいる旨の前記安否情報を作成して前記照会元端末装置に送信するために、前記情報提供サーバに送信する。
【００１６】
本態様に係る端末装置において、前記警報情報に含まれる重要度が所定の基準を満たすか否かを判断する警報判断部をさらに備え得る。ここで、警報判断部により前記重要度が前記基準を満たすと判断されると、前記位置情報取得部および前記入力情報取得部は、それぞれ、前記警報情報に基づく前記位置情報の取得と入力情報の取得を行い、警報判断部により前記重要度が前記基準を満たさないと判断されると、前記位置情報取得部および前記入力情報取得部は、前記警報情報に基づく前記位置情報の取得と入力情報の取得を行わない。
【発明の効果】
【００１７】
以上のとおり、本発明によれば、確認対象者の安否情報を精度よく連絡先に提供することができる。
【図面の簡単な説明】
【００１８】
【図１】実施の形態に係る安否情報提供システムを示すブロック図である。
【図２】実施の形態に係る情報提供サーバの全体構成を示すブロック図である。
【図３】実施の形態に係る連絡先データベースを示す図である。
【図４】実施の形態に係る携帯端末装置の全体構成を示すブロック図である。
【図５】実施の形態に係る連絡先情報を連絡先データベースに格納する処理手順を示すフローチャートである。
【図６】実施の形態に係る確認対象者の安否情報を連絡先に提供する処理手順を示すフローチャートである。
【図７】実施の形態に係る確認対象者の状態を入力するための入力画面を示す模式図である。
【図８】実施の形態に係る確認対象者の安否情報を照会元に提供する処理手順を示すフローチャートである。
【図９】実施の形態に係る安否情報提供システムを示すブロック図である。
【図１０】実施の形態に係る確認対象者の安否情報を連絡先に提供する処理手順を示すフローチャートである。
【発明を実施するための形態】
【００１９】
以下、図を参照して、本実施の形態に係る安否情報提供システム１について説明する。
【００２０】
＜第１実施形態＞
図１は、本実施の形態に係る安否情報提供システム１に関わる構成を示す図である。
【００２１】
図１に示すように、安否情報提供システム１に関わる構成として、警報配信サーバ１０、情報提供サーバ２０および複数の基地局３０が、ＬＡＮ（Local Area Network）やインターネットなどのネットワーク４０により接続されている。また、各基地局３０は携帯端末装置５０と無線で通信し、携帯端末装置５０は基地局３０を介してネットワーク４０に接続されている。安否情報提供システム１は、情報提供サーバ２０と携帯端末装置５０により構成されている。
【００２２】
警報配信サーバ１０は、緊急事態が発生した場合、緊急事態についての警報情報を発生地域に存在する基地局３０に配信する。なお、警報情報は、地震や台風などの自然災害、原子力事故やテロなど緊急事態の内容、その発生地域および重要度などを含む。緊急事態の重要度は、地震の震度、台風の風速、大雨や洪水など気象警報や注意報、原子力事故の国際原子力事象評価尺度など、人体や環境等に与える影響の大きさを示す指標である。警報配信サーバ１０は、たとえば、通信サービス事業者が保有する。
【００２３】
情報提供サーバ２０は、確認対象端末識別情報（以下、確認対象端末ＩＤと言う。）と連絡先端末識別情報（以下、連絡先端末ＩＤと言う。）とを含む連絡先データベース（以下、連絡先ＤＢと言う。）を管理する。また、情報提供サーバ２０は、確認対象者の安否情報を連絡先や照会元に提供する。なお、確認対象者は、緊急時に状況を確認すべき対象者であり、連絡先は、確認対象者の状況を知らせるべき相手として事前に登録された者であり、照会元は、確認対象者の安否を事後に問い合わせてきた者である。
【００２４】
基地局３０は、無線通信が可能なエリアに存在する携帯端末装置５０と通信し、警報配信サーバ１０および情報提供サーバ２０と携帯端末装置５０との情報のやり取りを中継する。
【００２５】
携帯端末装置５０は、携帯電話機やＰＤＡ（Personal Digital Assistant）などであって、基地局３０を介して、ネットワーク４０に接続され、警報配信サーバ１０や情報提供
サーバ２０などと情報を送受信する。
【００２６】
図２は、情報提供サーバ２０の全体構成を示すブロック図である。図３は、連絡先ＤＢである。
【００２７】
図２に示すように、情報提供サーバ２０は、クロック２１、通信モジュール２２、メモリ２３およびＣＰＵ２４を備える。
【００２８】
クロック２１は、時刻を計測して時刻信号をＣＰＵ２４へ出力する。
【００２９】
通信モジュール２２は、ＣＰＵ２４からのテキスト信号などを電磁信号に変換し、ネットワーク４０を介して基地局３０へ送信する。また、通信モジュール２２は、ネットワーク４０を介して基地局３０から受信した電磁信号をテキスト信号などに変換してＣＰＵ２４へ出力する。
【００３０】
メモリ２３は、ＣＰＵ２４を動作させるための制御プログラム、連絡先ＤＢ、取得情報データベース（以下、取得情報ＤＢと言う。）、地図データベース（以下、地図ＤＢと言う。）および通信モジュール２２を介して外部から取り込んだテキストデータなどを記憶する。
【００３１】
連絡先ＤＢは、図３に示すように、連絡先情報を含む。連絡先情報は、１つの確認対象者の氏名および確認対象端末ＩＤに対して、１つまたは複数の連絡先氏名および連絡先端末ＩＤが対応付けられている。なお、確認対象端末ＩＤは、確認対象者が保有する携帯端末装置５０（以下、確認対象端末と言う。）を識別するための端末情報であり、電話番号やアドレスなど携帯端末装置を識別する情報である。また、連絡先端末ＩＤは、連絡先の端末装置（以下、連絡先端末と言う。）を識別するための端末情報である。連絡先の端末装置は、たとえば、携帯端末装置、固定電話、パソコンなどのコンピュータであり、連絡先端末ＩＤは電話番号やアドレスなどである。
【００３２】
取得情報ＤＢは、確認対象端末５０から取得した情報を有し、確認対象端末ＩＤ、位置情報および入力情報などが対応付けられて記憶されている。なお、取得情報ＤＢに記憶される位置情報および入力情報は、情報自体であってもよいし、メモリ２３におけるこれらの情報の保存先であってもよい。
【００３３】
地図ＤＢは、緯度および経度と住所とが対応付けられて記憶されている。
【００３４】
ＣＰＵ２４は、取得部２５、情報判断部２６および安否情報送信部２７を備える。これら各部は、ＣＰＵ２４によって実行されるソフトウェアの機能として実現される。
【００３５】
取得部２５は、通信モジュール２２が受信した確認対象端末５０からの連絡先端末ＩＤや連絡先端末からの確認対象端末ＩＤなどの連絡先情報を取得し、これらを連絡先ＤＢに格納する。また、取得部２５は、通信モジュール２２が受信した照会元端末からの安否確認の問い合わせを取得し、メモリ２３に保存する。なお、照会元端末は、緊急事態の発生後に、確認対象者の安否情報を情報提供サーバ２０へ要求する端末であって、携帯端末装置５０、固定電話およびコンピュータなどである。照会元端末からの問い合わせは、確認対象者の安否情報の要求であって、確認対象端末ＩＤおよびこれに伴う照会元端末識別情報（以下、照会元端末ＩＤと言う。）を含む。照会元端末ＩＤは、電話番号やアドレスなどの照会元端末を識別するための端末情報である。
【００３６】
さらに、取得部２５は、確認対象端末５０から送信されてきた位置情報、入力情報およ
び確認対象端末ＩＤを取得する。
【００３７】
情報判断部２６は、確認対象者の位置情報および入力情報の有無を判断する情報判断部と、この判断結果に応じた対象者の安否情報を作成する作成部との機能を果たす。つまり、情報判断部２６は、確認対象端末５０の位置情報の取得の有無を判断し、位置情報が取得されると、クロック２１からの時刻信号により位置情報の取得からの経過時間を計測する。また、情報判断部２６は、位置情報が取得されると、位置情報が送信された確認対象端末５０からの入力情報の取得の有無を判断する。さらに、情報判断部２６は、確認対象端末ＩＤを特定しながら、これらの位置情報や入力情報の取得結果に応じた安否情報を構成し、メモリ２３に保存する。なお、安否情報は、位置情報およびこの情報の取得の有無、入力情報およびこの情報の取得の有無、ならびに位置情報などが送信された確認対象端末５０の確認対象端末ＩＤなどを含む。
【００３８】
安否情報送信部２７は、連絡先ＤＢに照合し、安否情報の確認対象端末ＩＤに対応する連絡先端末ＩＤを読み出す。そして、この連絡先端末ＩＤを宛先として、確認対象者の安否情報を、通信モジュール２２を介して連絡先端末に送信する。また、安否情報送信部２７は、確認対象者の安否情報および照会元端末ＩＤをメモリ２３から読み出し、照会元端末ＩＤを宛先として安否情報を通信モジュール２２へ出力し、安否情報を照会元端末に送信する。
【００３９】
図４は、確認対象端末５０の全体構成を示すブロック図である。
【００４０】
図４に示すように、確認対象端末５０は、キーボード５１、信号処理回路５２、測位部５３、マイク５４、音声処理回路５５、光源駆動回路５６、光源５７、画像処理回路５８、液晶表示パネル５９、音声処理回路５５、スピーカ６０、通信モジュール６１、メモリ６２、およびＣＰＵ６３、を備える。
【００４１】
キーボード５１は、各種キーを含む入力装置である。信号処理回路５２は、キーボード５１の各種キーに対応するキー信号をＣＰＵ６３へ出力する。
【００４２】
測位部５３は、ＧＰＳなど、携帯端末装置５０の現在位置を求める測位システムであり、衛星などから受信した信号に基づく位置信号をＣＰＵ６３へ出力する。
【００４３】
マイク５４は、外部から受けた音声を音声信号に変換して音声処理回路５５へ出力する。音声処理回路５５は、マイク５４からのアナログの音声信号をデジタルの音声信号に変換するとともに、デジタルの音声信号にエンコード処理を施してＣＰＵ６３へ出力する。
【００４４】
光源駆動回路５６は、ＣＰＵ６３からの制御信号に応じた電圧信号を光源５７に供給する。光源５７は、電圧信号に応じた強度の可視光を出射する。
【００４５】
画像処理回路５８は、ＣＰＵ６３からの制御信号により、液晶表示パネル５９で表示できるアナログもしくはデジタルの画像信号を生成し、液晶表示パネル５９に出力する。液晶表示パネル５９は画像信号に応じて画像を表示する。
【００４６】
音声処理回路５５は、ＣＰＵ６３からの制御信号により、スピーカ６０で出力できるアナログの音声信号を、スピーカ６０に出力する。スピーカ６０は、音声処理回路５５からの音声信号を音声として再生する。
【００４７】
通信モジュール６１は、ＣＰＵ６３からの制御信号により音声信号や画像信号、テキスト信号などを電波信号に変換し、アンテナ６１ａを介して基地局３０へ送信する。反対に
、アンテナ６１ａを介して基地局３０から受信した電波信号を音声信号や画像信号、テキスト信号などに変換してＣＰＵ６３へ出力する。
【００４８】
メモリ６２は、ＲＯＭおよびＲＡＭを含む。ＲＡＭは、キーボード５１から入力されたデータを一時的に記憶する。これらデータは、必要に応じてＲＡＭから読み出されたり、１つの情報としてまとめられてＲＯＭに保存されたりする。
【００４９】
ＲＯＭは、電子メール情報、メモ情報、通信モジュール６１を介して外部から取り込んだ情報、およびＣＰＵ６３を動作させるための制御プログラムなどを記憶する。
【００５０】
ＣＰＵ６３は、通信モジュール６１、キーボード５１、マイク５４および測位部５３など各部からの入力信号に基づいて、通信モジュール６１、光源駆動回路５６、画像処理回路５８および音声処理回路５５などの各部に制御信号を出力することにより、通信処理などを行う。
【００５１】
ＣＰＵ６３は、警報判断部６４および生成部６５を備える。これら各部は、ＣＰＵ６３によって実行されるソフトウェアの機能として実現される。
【００５２】
警報判断部６４は、緊急事態の発生を知らせる警報情報を受信する受信部である。そして、警報判断部６４は、警報情報に関する制御信号を画像処理回路５８に出力することにより、警報情報を液晶表示パネル５９に表示させる。
【００５３】
また、警報判断部６４は、警報情報から緊急事態の重要度（重要度を示す指標値）を抽出し、重要度が所定の閾値より高いか否かを判断し、重要度が所定の閾値より高い場合に生成部６５に通知する。
【００５４】
生成部６５は、警報判断部６４からの通知を受け、測位部５３からの位置信号に基づき位置情報を生成し所得する位置情報取得部である。なお、位置情報は、緯度および経度など、携帯端末装置５０の所在地を示す情報である。
【００５５】
また、生成部６５は、所定の入力操作を促し、入力操作に基づく入力情報を取得する入力情報取得部である。つまり、生成部６５は、所定の入力画面情報をメモリ６２から読み出し、入力画面情報に関する制御信号を画像処理回路５８に出力し、入力画面を液晶表示パネル５９に表示させる。さらに、生成部６５は、入力画面に対してキーボード５１から入力されたキー信号を受け、キー信号を基に入力情報を生成する。
【００５６】
さらに生成部６５は、位置情報および入力情報を送信する端末情報送信部である。生成部６５は、位置情報および入力情報に自己の確認対象端末ＩＤを付加して通信モジュール６１へ出力することにより、位置情報を情報提供サーバ２０へ送信させる。
【００５７】
さらに、生成部６５は、キーボード５１からのキー信号により連絡先情報として入力された連絡先端末ＩＤを受け、連絡先端末ＩＤに自己の確認対象端末ＩＤを付加した情報を通信モジュール６１により情報提供サーバ２０へ送信させる。
【００５８】
＜第１実施形態の処理手順＞
図５は、確認対象端末５０および確認対象端末ＩＤからの連絡先情報に基づき、連絡先ＤＢを作成する処理手順を示すフローチャートである。
【００５９】
図５に示すように、確認対象者が自己の状況を緊急時に家族や友人に知らせたい場合、確認対象端末５０において、キーボード５１の操作により、家族や友人などの連絡先端末
の電話番号（以下、連絡先番号と言う。）を連絡先端末ＩＤとして確認対象者が入力する。生成部６５は、連絡先番号に確認対象端末５０の電話番号を（以下、確認対象番号と言う。）付け加えて、これらを連絡先情報として情報提供サーバ２０に送信する（Ｓ１０１）。
【００６０】
これに対して、情報提供サーバ２０では、取得部２５が連絡先情報を取得する（Ｓ１０２：ＹＥＳ）。そして、取得部２５は、連絡先情報の確認対象端末５０からの連絡先番号および確認対象端末番号を抽出し、確認対象番号に関連付けて連絡先番号を連絡先ＤＢに格納する（Ｓ１０３）。
【００６１】
また、家族や友人が確認対象者の状況を緊急時に知りたい場合、確認対象者の確認対象端末ＩＤとして確認対象番号を、連絡先端末となる携帯端末装置５０のキーボード５１から入力する。生成部６５は、確認対象番号に自己の連絡先端末ＩＤとして電話番号を付け加えて、これらを連絡先情報として情報提供サーバ２０に送信する（Ｓ１０４）。
【００６２】
これに対して、情報提供サーバ２０の取得部２５が、連絡先端末からの連絡先情報を取得する（Ｓ１０２：ＹＥＳ）。そして、取得部２５は、連絡先情報の連絡先番号に関連付けて確認対象番号を連絡先ＤＢに格納する（Ｓ１０３）。
【００６３】
このようにして、確認対象端末５０および連絡先端末から受信した連絡先情報により、確認対象番号と連絡先番号とが対応させられて連絡先ＤＢに格納され、連絡先ＤＢが作成される。
【００６４】
図６は、地震が発生し、地震の発生地域に存在する基地局３０へ警報配信サーバ１０から警報情報が配信された場合に、警報情報を受信した確認対象端末５０からの安否情報が、連絡先ＤＢに従って情報提供サーバ２０から連絡先へ提供される処理手順を示すフローチャートである。図７は、確認対象端末５０において入力情報を入力するための入力画面を示す図である。
【００６５】
図６に示すように、確認対象端末５０において、警報判断部６４が警報配信サーバ１０からの警報情報を受信して（Ｓ２０１：ＹＥＳ）、液晶表示パネル５９に警報情報を表示させる。これにより、確認対象者は、警報情報を見て、これに対処することができる。
【００６６】
また、警報判断部６４は、警報情報から地震の震度を抽出して、震度と所定の閾値（たとえば、震度５）とを比較する。比較の結果、震度が震度５より大きい場合、警報判断部６４は、高重要度と判断する（Ｓ２０２：ＹＥＳ）。
【００６７】
警報判断部６４で高重要度と判断されると、生成部６５は、測位部５３から確認対象端末５０の現在位置を示す位置信号を得て、現在位置の緯度および経度を求める。そして、生成部６５は、この位置情報に確認対象番号を付け加えて情報提供サーバ２０へ送信する（Ｓ２０３）。
【００６８】
次に、生成部６５は、メモリ６２から所定の入力画面情報を読み出し、図７の画面１に示すような、確認対象者の状態を選択するための入力画面を液晶表示パネル５９に表示させる。これにより、確認対象者に安否確認のための入力操作を促す。これに対して、確認対象者がキーボード５１を操作して、状態１または状態２を選択すると、生成部６５は、キーボード５１からのキー信号を受けて状態情報を取得する。
【００６９】
続いて、生成部６５は、図７の画面２に示すような、コメントの有無を問い合わせる画面を液晶表示パネル５９に表示させる。キーボード５１操作によりコメントなしが選択さ
れると、生成部６５は、キーボード５１からのキー信号を受け、状態情報から入力情報を生成して、入力情報に確認対象番号を付けて、情報提供サーバ２０に送信する（Ｓ２０４）。一方、図７の画面２でコメントありが選択されると、生成部６５は、図７の画面３に示すコメント入力画面を液晶表示パネル５９に表示させる。そして、確認対象者がキーボード５１を操作してコメントを入力すると、生成部６５は、キーボード５１からのキー信号によりコメント情報を取得する。そして、生成部６５は、コメント情報と先に取得した状態情報とを組み合わせて入力情報を生成した上、入力情報に確認対象番号を付け加えて、情報提供サーバ２０に送信する（Ｓ２０４）。
【００７０】
情報提供サーバ２０において、取得部２５は、確認対象端末５０から位置情報および入力情報と、これに伴う確認対象番号とを取得する。そして、取得部２５は、位置情報および入力情報のそれぞれと確認対象番号とを対応付けて取得情報ＤＢに格納する。
【００７１】
取得部２５が位置情報を取得すると、情報判断部２６は、位置情報があると判断するとともに（Ｓ２０５：ＹＥＳ）、クロック２１からの時刻信号により位置情報の取得時刻を求め、取得時刻からの経過時間を測定する。
【００７２】
次に、位置情報の確認対象番号に対応する入力情報を取得部２５が取得すると、情報判断部２６は入力情報があると判断する（Ｓ２０６：ＹＥＳ）。そして、情報判断部２６は、所定のメッセージ情報をメモリ２３から読み出し、確認対象番号に基づき確認対象端末５０の氏名を連絡先ＤＢから読み出し、さらに確認対象番号に基づき確認対象端末５０の位置情報および入力情報を取得情報ＤＢから読み出す。ここで、位置情報が経度および緯度の場合、情報判断部２６は、地図ＤＢを基に経度および緯度に対応する住所を求める。そして、情報判断部２６は、これらを組み合わせて、たとえば、「氏名：Ａさん、電話番号：ＡＮ、場所：○○市、状態：無事、コメント：心配しないで。」とする、位置情報および入力情報を含む安否情報を作成する（Ｓ２０７）。
【００７３】
一方、情報判断部２６は、取得部２５から入力情報の取得通知がなく、入力情報がないと判断した場合（Ｓ２０６：ＮＯ）、位置情報の取得時刻からの経過時間が所定時間を経過しているか否かを判断する。経過時間が所定時間を経過していれば（Ｓ２０８：ＹＥＳ）、情報判断部２６は、所定のメッセージ情報をメモリ２３から読み出し、確認対象番号に基づき確認対象端末５０の氏名を連絡先ＤＢから読み出し、さらに確認対象番号に基づき確認対象端末５０の位置情報を取得情報ＤＢから読み出す。そして、情報判断部２６は、これらの情報を組み合わせて、たとえば、「氏名：Ｂさん、電話番号：ＢＮ、場所：□□町、Ｂさんから入力された情報はありません。」とする、位置情報を含み、入力情報がない旨の安否情報を作成する（Ｓ２０９）。
【００７４】
情報判断部２６は、安否情報を作成すると、作成した安否情報をこの安否情報の確認対象番号と関連付けてメモリ２３に保存し、安否情報の保存先を取得情報ＤＢに記憶する。
【００７５】
確認対象者の安否情報が作成されると、安否情報送信部２７は、確認対象番号を連絡先ＤＢに照合し、確認対象番号に対応する連絡先番号を抽出する（Ｓ２１０）。そして、安否情報送信部２７は、取得情報ＤＢのメモリ２３の保存先から安否情報を読み出して、連絡先番号を宛先として安否情報を電子メールで連絡先端末に送信する（Ｓ２１１）。
【００７６】
図８は、緊急事態の発生前に予め登録された連絡先ＤＢとは異なり、緊急事態の発生後に個別で確認対象者の安否情報の求める問い合わせが照会元端末からあった場合に、これに応じて安否情報を照会元端末へ提供する処理手順を示すフローチャートである。
【００７７】
図８に示すように、照会元が家族や友人の状況を重要度が高い緊急事態の発生後に知り
たい場合、照会元端末が、家族や友人などの確認対象番号に照会元端末の電話番号（以下、照会元番号と言う。）を付け加え、これらを含む問い合わせを情報提供サーバ２０に送信する（Ｓ３０１）。
【００７８】
これに対して、情報提供サーバ２０の取得部２５が、照会元端末からの問い合わせを受信する（Ｓ３０２：ＹＥＳ）。
【００７９】
照会元端末からの問い合わせがあれば、情報判断部２６は、問い合わせから確認対象番号を抽出し、取得情報ＤＢを参照する。取得情報ＤＢにおいて、確認対象番号に対応する位置情報またはその保存先が記憶されていれば、情報判断部２６は、位置情報があると判断する（Ｓ３０３：ＹＥＳ）。この場合、安否情報が既に作成されているので、取得情報ＤＢから確認対象番号に対応する安否情報の保存先を抽出し、保存先から安否情報を読み出す（Ｓ３０４）。
【００８０】
一方、取得情報ＤＢに、確認対象番号に対応する位置情報またはその保存先が記憶されていない場合、情報判断部２６は、位置情報がないと判断する（Ｓ３０３：ＮＯ）。位置情報がない場合には、確認対象端末５０が高重要度の警報情報の配信エリアに居らず高重要度の警報情報を受信しなかったことにより、確認対象端末５０が位置情報を生成せず送信しなかったと判断し得る。よって、情報判断部２６は、「緊急事態が発生したエリア外にいます。」との所定メッセージを、安否情報として取得情報ＤＢから読み出す（Ｓ３０５）。なお、「緊急事態が発生したエリア外にいます。」とのメッセージは、予め取得情報ＤＢに記憶されている。
【００８１】
続いて、安否情報送信部２７は、照会元番号を宛先として安否情報を電子メールで照会元端末に送信する（Ｓ３０６）。これにより、照会元端末は、安否情報を受信し（Ｓ３０７）、安否情報から確認対象者の状況を知り得る。
【００８２】
以上、本実施の形態の安否情報提供システム１および情報提供サーバ２０によれば、警報情報に応答して自動的に送信される位置情報に加えて、確認対象者のキーボード５１の操作により入力および返信された入力情報が連絡先や照会元に提供される。このため、入力情報があれば、確認対象者がキーボード５１を操作できる状態であることがわかる。しかも、その内容により、確認対象者が無事または負傷しているのかがわかる。また、負傷などしている場合や無事でも助けを求めている場合には、位置情報を手掛かりに確認対象者を迅速に探すことができる。一方、入力情報がなくても、位置情報の取得はあるが入力情報の取得がないとの状況により、高重要度緊急事態発生エリア内にいるのに確認対象者から何らかの応答がない旨を知らせる安否情報が提供できる。また、位置情報の取得すらないとの状況により、確認対象者が高重要度緊急事態発生エリア外にいる旨の安否情報が提供できる。このため、より高精度の安否情報を連絡先などへ提供することができる。
【００８３】
しかも、位置情報や入力情報がないなど、あらゆる場合に応じた確認対象者の安否情報が連絡先や照会元へ提供されるため、連絡先などは確認対象者に対するより多くの手掛かりを得ることができる。
【００８４】
また、事前には携帯端末装置５０および連絡先端末から連絡先情報を連絡先ＤＢに登録することにより、確認対象の安否情報を取得することができる。この上、事後には、確認対象者の安否情報を問い合わせることで、確認対象の安否情報を取得することができる。
【００８５】
本実施の形態の携帯端末装置５０によれば、緊急時に位置情報を送信するのみならず、入力画面を立ち上げて確認対象者に対し所定の入力操作を促し、当該入力操作があると、当該入力操作に基づく入力情報をも送信するようにしている。これにより、情報提供サー
バ２０により精度の高い安否情報を生成することが可能となる。
【００８６】
また、本実施の形態の携帯端末装置５０によれば、緊急時に位置情報が自動的に生成され送信されることで、緊急時の混乱した状態であっても、位置情報を取得し送信する手間なく、確認対象者の位置情報を迅速かつ効率的に提供することができる。
【００８７】
さらに、本実施の形態の携帯端末装置５０によれば、確認対象端末５０において、警報情報の受信により、入力画面が自動的に立ち上がり、かつ状態情報など必要な情報は予め提示される。このため、確認対象者は情報を選択するだけで、最低限の入力情報が生成され、自動的に情報提供端末に送信されるため、簡便に入力情報を提供することができる。
【００８８】
本実施の形態の携帯端末装置５０によれば、重要度が高い緊急事態のときのみ、安否情報が提供されることで、緊急性の低い場所にいる人の位置情報、入力情報および安否情報が送信されない。このため、緊急時の通信量が急増することを防止できることにより、輻輳が回避され、緊急性の高い場所にいる人の安否情報が円滑に提供され得る。また、このような確認対象者に影響が少ない警報情報が発令される度に、連絡先などが安否情報を受信し、それを確認しなければならない煩わしさが軽減される。
【００８９】
＜第２実施形態＞
第２実施形態の安否情報提供システム１は、情報提供サーバ２０がなく携帯端末装置７０（確認対象端末７０）のみにより構成されている点と、確認対象端末７０のメモリ７１およびＣＰＵ７２の構成と、確認対象端末７０がクロック７７を含む点が、第１実施形態の安否情報提供システム１と異なる。なお、第２実施形態の構成のうち第１実施形態の構成と同様なものについては、同じ番号を付して、その説明を省略する。
【００９０】
図９は、確認対象端末７０の全体構成を示すブロック図である。
【００９１】
メモリ７１は、連絡先ＤＢを記憶する。連絡先ＤＢは連絡先端末ＩＤを記憶している。
【００９２】
ＣＰＵ７２は、警報判断部７３、取得部７４、情報判断部７５および安否情報送信部７６を備える。これら各部は、ＣＰＵ７２によって実行されるソフトウェアの機能として実現される。
【００９３】
警報判断部７３は、通信モジュール６１が受信した警報配信サーバ１０からの警報情報を取得し、画像処理回路５８を介して警報情報を液晶表示パネル５９に表示させる。また、警報判断部７３は、警報情報から緊急事態の重要度を抽出し、重要度が所定の閾値より高いか否かを判断し、高い場合に取得部７４へ通知する。
【００９４】
取得部７４は、警報判断部７３からの通知を受け、測位部５３からの位置信号に基づき位置情報を取得しメモリ７１に保存し、情報判断部７５へ通知する。また、取得部７４は、メモリ７１から所定の入力画面情報を読み出し、画像処理回路５８により入力画面を液晶表示パネル５９へ表示させるとともに、キーボード５１から入力されたキー信号を基に入力画面に対する入力情報を取得しメモリ７１に保存する。
【００９５】
また、取得部７４は、緊急事態の発生前、キーボード５１操作によるキー信号から、自己の安否情報の連絡先として連絡先端末ＩＤが入力されると、連絡先端末ＩＤを連絡先ＤＢに格納する。さらに、取得部７４は、自己の安否情報を求める連絡先端末から連絡先端末ＩＤを受信し、この連絡先端末ＩＤも連絡先ＤＢに格納する。さらに、取得部７４は、緊急事態の発生後、自己の安否情報を求める照会元端末から照会元端末ＩＤを受信する。
【００９６】
情報判断部７５は、取得部７４による位置情報の取得の有無を判断する。また、情報判断部７５は、位置情報が取得されたと判断すると、クロック７７からの時刻信号に基づき位置情報の取得時刻からの経過時間を計測し、経過時間が所定時間に達したか否かを判断する。さらに、情報判断部７５は、取得部７４からの入力情報の取得通知から所定時間内に入力情報を取得したか否かを判断する。
【００９７】
また、情報判断部７５は、位置情報、入力情報およびこれらの情報の有無に応じて安否情報を作成する。
【００９８】
安否情報送信部７６は、安否情報が作成されると、連絡先ＤＢから連絡先端末ＩＤを読み出し、連絡先端末ＩＤを宛先として確認対象者の安否情報を連絡先端末に送信する。また、安否情報送信部７６は、照会元端末ＩＤを宛先として確認対象者の安否情報を送信する。
【００９９】
＜第２実施形態の処理手順＞
図１０は、地震が発生し、地震の発生地域に存在する基地局３０に警報配信サーバ１０から警報情報が配信された場合に、警報情報を受信した確認対象端末７０から安否情報が、連絡先ＤＢに従って連絡先に提供される処理手順を示すフローチャートである。なお、ステップＳ４０１およびＳ４０２は、図６のステップＳ２０１および２０２と同様であるため、その説明を省略する。
【０１００】
警報判断部７３が高重要度の警報情報であると判断すると、取得部７４は、測位部５３から確認対象端末７０の現在位置を示す位置信号を得て、現在位置の緯度および経度を求めて、位置情報を生成しメモリ７１に保存する。（Ｓ４０３）
次に、取得部７４は、入力画面を液晶表示パネル５９に表示させる。そして、入力画面に対して確認対象者によりキーボード５１が操作されると、このキー信号を受けて入力情報を生成して取得し、メモリ７１に保存する。
【０１０１】
位置情報がメモリ７１に保存されると、情報判断部７５は、クロック７７からの時刻信号により位置情報の取得時刻を求め、取得時刻からの経過時間を測る。
【０１０２】
入力情報が取得されると、情報判断部７５は、入力情報が取得されたと判断して（Ｓ４０４：ＹＥＳ）、所定のメッセージ情報、位置情報および入力情報をメモリ７１から読み出し、これらを組み合わせた安否情報を作成し、メモリ７１に保存する（Ｓ４０５）。
【０１０３】
一方、入力情報が取得されなかった場合、情報判断部７５が、入力情報がないと判断し（Ｓ４０４：ＮＯ）、経過時間が所定時間に達したか否かを判断する。経過時間が所定時間になれば（Ｓ４０６：ＹＥＳ）、情報判断部７５は、所定のメッセージ情報および位置情報をメモリ７１から読み出し、これらの情報を組み合わせた安否情報を作成しメモリ７１に保存する（Ｓ４０７）。この安否情報では、確認対象者が入力した情報がない旨が含まれる。
【０１０４】
安否情報が作成されると、安否情報送信部７６は、連絡先ＤＢから連絡先番号を抽出し（Ｓ４０８）、連絡先番号を宛先として安否情報を電子メールで連絡先端末に送信する（Ｓ４０９）。
【０１０５】
緊急事態の発生後に確認対象者の安否情報の求める問い合わせが照会元端末からあった場合についての処理手順は、図８と同様であるため、説明は省略する。
【０１０６】
ただし、この場合、取得情報ＤＢがないため、メモリ７１に位置情報および入力情報が
記憶されているか否かにより位置情報および入力情報の有無を情報判断部７５が判断する。
【０１０７】
以上、本実施の形態によれば、確認対象端末７０において、連絡先ＤＢの管理、安否情報の作成および提供が行われることにより、確認対象端末７０と情報提供サーバ２０との通信がないため、緊急事態における通信の情報量が減らせ、安否情報を効率的に連絡先端末や照会元端末に送信することができる。また、情報が１つのサーバに集中することがないため、負荷が分散し、安否情報を円滑に提供することができる。
【０１０８】
なお、第２実施形態は、請求項１に係る発明を、携帯端末のみにより実現するときの構成例である。
【０１０９】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１１０】
たとえば、上記第１実施形態では、位置情報がない場合、情報判断部２６は、確認対象者が高重要度緊急事態発生エリア外にいる旨の安否情報を作成した。これに対し、位置情報がない場合に、照会元端末から確認対象者の安否情報の問い合わせがあると、情報提供サーバ２０の安否情報送信部２７は位置情報を求める要求情報を確認対象端末５０に送信することもできる。この場合、位置情報の要求情報に対して、確認対象端末５０が位置情報を生成し返信すると、取得部２５は位置情報を取得する。位置情報が取得されると、情報判断部２６は高重要度緊急事態発生エリア外にいると判断し、この旨の安否情報を照会元端末に送信する。一方、要求情報に対して確認対象端末５０から返信がなく、取得部２５が位置情報を取得しなければ、情報判断部２６は確認対象端末５０が故障していると判断し、安否情報送信部２７は、故障している旨の安否情報を照会元端末に送信する。これにより、より精度の高い確認者端末の安否情報を作成し提供することができる。
【０１１１】
また、上記実施形態では、確認対象端末５０の位置情報がない場合、高重要度緊急事態発生エリア外である旨の安否情報を照会元端末に提供したが、この安否情報を連絡先端末に提供することもできる。
【０１１２】
さらに、上記実施形態では、作成した確認対象者の安否情報をメモリ２３、７１に保存し、この保存先を記憶した取得情報ＤＢの情報を基に確認対象者の安否情報を読み出しながら、連絡先や照会元に安否情報を送信した。これに限定されず、送信するごとに、取得情報ＤＢから位置情報や入力情報を読み出して安否情報を作成することもできる。
【０１１３】
また、上記実施形態では、緊急事態の重要度が所定の閾値として震度５より高い場合に、安否情報が生成されたが、この安否情報を生成する閾値をユーザが任意に設定することもできる。たとえば、震度６より高い緊急事態の重要度である場合に、安否情報を生成するようにユーザが設定することにより、ユーザが意図しない重要度の低い緊急事態において、安否情報が送信され、通信費がかかることを防止できる。
【０１１４】
さらに、上記実施形態では、安否情報を送信する基準として、重要度の閾値を設けたが、数値などの階級で表わされない基準を設けることもできる。たとえば、地震警報を重要度が高く、気象警報を重要度が低いとする基準を設定することもできる。この場合、警報が地震に関するものであれば、重要度が基準を満たすと判断され、気象に関する警報であれば、重要度が基準を満たさないと判断される。
【０１１５】
さらに、上記実施形態では、所定の入力画面に表示される所定の２つの状態のいずれかをユーザが選択することにより、入力情報が生成された。これに対して、入力画面に表示される内容をユーザが任意に予め設定することもできる。または、入力情報がユーザにより予め定められ、入力画面に送信と表わされたボタンが表示されるように設定することもできる。この場合、ユーザがその送信ボタンを選択することにより、入力情報が送信される。これにより、入力情報がユーザの意思とは別に送信されるのではなく、送信ボタンが選択するユーザの意思が反映されたまま、緊急時にユーザが情報を入力する手間を省略して入力情報を送信することができる。
【０１１６】
また、上記実施形態によれば、位置情報があると安否情報を連絡先に送信し、位置情報がなければ、安否情報の問い合わせがあった場合に、照会元に安否情報を送信した。これに対して、位置情報がない場合でも、位置情報および入力情報を伴わない安否情報を連絡先へ送信することもできる。
【０１１７】
また、上記実施形態によれば、情報判断部２６により位置情報が無いと判断されると、確認対象者が高重要度緊急事態発生エリア外にいる旨の安否情報、故障している旨の安否情報が提供された。これに対し、情報判断部２６による位置情報が無いとの判断に基づく安否情報であれば、これらに限らず、位置情報が無い旨の安否情報などを提供することもできる。
【０１１８】
さらに、上記実施形態によれば、入力情報の有無にかかわらず、位置情報はないと情報判断部２６により判断されると、緊急事態が発生したエリア外に確認対象者が居る旨のメッセージを安否情報として提供した。これに対して、位置情報がない場合でも、入力情報の有無を情報判断部２６が判断することもできる。これにより、位置情報がないにも関わらず、入力情報があるとの情報判断部２６による判断結果では、入力情報を含む安否情報を提供する。また、位置情報および入力情報がないとの情報判断部２６による判断結果では、この判断結果に基づくメッセージとして、エリア外に居る旨のメッセージや両方の情報がない旨のメッセージなどを提供する。このため、あらゆる場合に対応した安否情報が作成され、連絡先や照会元へ提供され得る。
【０１１９】
また、上記実施形態によれば、確認対象端末に携帯端末装置５０が用いられたが、これに限定されず、メール機能を有するデスクトップ型ＰＣまたはノート型ＰＣなどを用いることもできる。
【０１２０】
この他、本発明の実施の形態は、特許請求の範囲に示された技術的思想の範囲内において、適宜、種々の変更が可能である。
【符号の説明】
【０１２１】
１  …  安否情報提供システム
１０  …  警報配信サーバ
２０  …  情報提供サーバ
２５、７４  …  取得部
２６、７５  …  情報判断部
２７、７６  …  安否情報送信部
６４、７３  …  警報判断部
【図１】
0005758089.tif 000002
【図２】
0005758089.tif 000003
【図３】
0005758089.tif 000004
【図４】
0005758089.tif 000005
【図５】
0005758089.tif 000006
【図６】
0005758089.tif 000007
【図７】
0005758089.tif 000008
【図８】
0005758089.tif 000009
【図９】
0005758089.tif 000010
【図１０】
0005758089.tif 000011